(57)【要約】【課題】開封されたかを容易に視認することが可能でありつつ、収容されている内容物の新鮮さを使用者に対して容易に認識させることができる付け替え容器を提供すること。【解決手段】内容物が収容され、内容物を吐出孔から吐出させる吐出器が着脱可能に装着される有底筒状の容器本体２と、容器本体２の口部３に装着され、容器本体２の内部と外部とを連通させる連通孔１３Ａが形成された筒状の中栓部材４と、を備え、中栓部材４が、連通孔１３Ａを閉塞し、吐出器を容器本体２の口部３に装着したときに中栓部材４または吐出器に設けられた切断部材５によって、破断されるシールフィルム１４と、を備える。【選択図】図１
2019119453.tif 000002
【特許請求の範囲】
【請求項１】
内容物が収容され、内容物を吐出孔から吐出させる吐出器が着脱可能に装着される有底筒状の容器本体と、
前記容器本体の口部に装着され、前記容器本体の内部と外部とを連通させる連通孔が形成された筒状の中栓部材と、
を備え、
前記中栓部材が、前記連通孔を閉塞し、前記吐出器を前記容器本体の前記口部に装着したときに当該中栓部材または前記吐出器に設けられた切断部材によって、破断されるシールフィルムと、
を備えることを特徴とする付け替え容器。
【請求項２】
前記中栓部材が、前記容器本体の前記口部内に装着され、
前記シールフィルムが、前記中栓部材のうち容器軸方向に沿う前記容器本体の内側を向く下端開口を閉塞していることを特徴とする請求項１に記載の付け替え容器。
【請求項３】
前記切断部材が、前記中栓部材のうち前記シールフィルムよりも容器軸方向に沿う前記容器本体の外側に位置する部分に配設され、前記中栓部材と一体的に形成されていることを特徴とする請求項１または２に記載の付け替え容器。
【請求項４】
前記切断部材が、ポンプ機構を有する前記吐出器の吸引パイプの先端部に設けられていることを特徴とする請求項１または２に記載の付け替え容器。
【請求項５】
前記シールフィルムが、アルミ箔の層を有する積層フィルムであることを特徴とする請求項１から４のいずれか１項に記載の付け替え容器。
【発明の詳細な説明】
【技術分野】
【０００１】
本発明は、付け替え容器に関する。
【背景技術】
【０００２】
従来から、内容物が収容される容器本体の口部に吐出器が着脱可能に装着される付け替え容器が知られている（例えば、特許文献１参照）。この種の付け替え容器は、内容物が収容される有底筒状の容器本体と、容器本体の口部に装着され、容器本体の内部と外部とを連通させる連通孔が形成された中栓部材と、容器本体の口部に着脱可能に装着されたキャップと、を備えている。そして、このような付け替え容器では、キャップを容器本体の口部から取り外した後に吐出器を口部内に進入させて吐出器を口部に装着する。
【先行技術文献】
【特許文献】
【０００３】
【特許文献１】特開２０１１−０３１９４４号公報
【発明の概要】
【発明が解決しようとする課題】
【０００４】
しかしながら、上記従来の付け替え容器では、キャップが容器本体の口部に対して単に装着されているだけであるので、吐出器の付け替え前に付け替え容器が開封されたか判断することができなかった。また、連通孔がキャップのみによって閉塞されており、付け替え容器への内容物の充填後にゴミなどの異物が入る可能性を排除できないことから、使用者に対して内容物の新鮮さを認識させにくかった。
【０００５】
そこで、本発明は、開封されたかを容易に視認することが可能でありつつ、収容されている内容物の新鮮さを使用者に対して容易に認識させることができる付け替え容器を提供することを目的とする。
【課題を解決するための手段】
【０００６】
本発明は、上記課題を解決するために以下のような手段を採用した。すなわち、本発明の付け替え容器は、内容物が収容され、内容物を吐出孔から吐出させる吐出器が着脱可能に装着される有底筒状の容器本体と、前記容器本体の口部に装着され、前記容器本体の内部と外部とを連通させる連通孔が形成された筒状の中栓部材と、を備え、前記中栓部材が、前記連通孔を閉塞し、前記吐出器を前記容器本体の前記口部に装着したときに当該中栓部材または前記吐出器に設けられた切断部材によって、破断されるシールフィルムと、を備えることを特徴とする。
【０００７】
この発明では、中栓部材の連通孔をシールフィルムで閉塞しているので、シールフィルムが破断されているかを視認することにより、付け替え容器が開封されたかを容易に視認できる。また、使用者自らがシールフィルムを破断するので、例えばシールフィルムを破断する際の感触や音などを通して、使用者に対して容器本体内に収容されている内容物の新鮮さを容易に認識させることができる。さらに、吐出器の付け替え時に中栓部材または吐出器に設けられている切断部材を用いてシールフィルムを破断し、そのまま吐出器を付け替え容器に装着することにより、吐出器の付け替え作業が容易になる。
【０００８】
また、本発明では、前記中栓部材が、前記容器本体の前記口部内に装着され、前記シールフィルムが、前記中栓部材のうち容器軸方向に沿う前記容器本体の内側を向く下端開口を閉塞してもよい。
この発明では、シールフィルムを中栓部材のうち下端よりも上側の部分に貼付する場合と比較して、シールフィルムが意図せず破断されることを抑制できる。また、吐出器の装着時に、中栓本体の上面における吐出器との間のシール性を容易に確保することができる。
【０００９】
また、本発明では、前記切断部材が、前記中栓部材のうち前記シールフィルムよりも容器軸方向に沿う前記容器本体の外側に位置する部分に配設され、前記中栓部材と一体的に形成されてもよい。
この発明では、切断部材と中栓部材とを一体的に形成することにより、部品点数を削減できる。また、切断部材がシールフィルムよりも容器軸方向に沿う容器本体の外側に位置しているので、切断部材がシールフィルムを意図せずシールフィルムを破断させる力から保護できる。
【００１０】
また、本発明では、前記切断部材が、ポンプ機構を有する前記吐出器の吸引パイプの先端部に設けられてもよい。
この発明では、吐出器の吸引パイプをシールフィルムに対して押し込むことにより、シールフィルムを破断する。
【００１１】
また、本発明では、前記シールフィルムが、アルミ箔の層を有する積層フィルムであってもよい。
この発明では、付け替え容器内に収容されている内容物の劣化を抑制することができる。
【発明の効果】
【００１２】
この発明にかかる付け替え容器によれば、シールフィルムへの破断の有無により、開封されたか否かを視認して容易に判断できると共に、使用者がシールフィルムを破断することを通して、内容物の新鮮さを使用者に認識させることが容易になる。また、シールフィルムを破断しつつ吐出器を付け替え容器に装着することにより、吐出器の付け替え作業が容易になる。
【図面の簡単な説明】
【００１３】
【図１】本発明の第１実施形態にかかる付け替え容器を示す軸方向断面図である。
【図２】図１の中栓部材及び切断部材を示す上面図である。
【図３】図１の付け替え容器を用いた付け替え作業を示す図である。
【図４】同じく、図１の付け替え容器を用いた付け替え作業を示す図である。
【図５】本発明の第２実施形態にかかる付け替え容器を示す軸方向断面図である。
【図６】図５の中栓部材及び切断部材を示す上面図である。
【図７】図５の付け替え容器を用いた付け替え作業を示す図である。
【図８】同じく、図５の付け替え容器を用いた付け替え作業を示す図である。
【図９】本発明の第３実施形態にかかる付け替え容器及び吐出器を示す軸方向断面図である。
【図１０】図９の切断部材を示す下面図である。
【図１１】図９の付け替え容器及び吐出器を用いた付け替え作業を示す図である。
【図１２】同じく、図９の付け替え容器及び吐出器を用いた付け替え作業を示す図である。
【発明を実施するための形態】
【００１４】
以下、本発明による付け替え容器の第１実施形態を、図面に基づいて説明する。
本実施形態にかかる付け替え容器１は、図１に示すように、内部に内容物が収容される有底円筒状の容器本体２と、容器本体２の円筒状の口部３に装着された円筒状の中栓部材４と、中栓部材４と一体的に形成された切断部材５と、を備える。
以下、容器本体２の中心軸線を容器軸Ｏと称し、図１においてこの容器軸Ｏに沿って容器本体２の底部から口部３に向かう方向を上方、その逆方向を下方と称する。また、容器軸Ｏから見た平面視で容器軸Ｏに交差する方向を径方向、容器軸Ｏ回りで周回する方向を周方向と称する。
【００１５】
容器本体２の口部３の外周面には、雄ネジ部３Ａが形成されている。また、口部３のうち雄ネジ部３Ａよりも上側の部分における外径は、口部３のうちの他の部分における外径よりも小径とされており、口部３の上端部は、段部３Ｂとされている。さらに、口部３の上端部における内径は、口部３のうち他の部分における内径よりも小径とされている。
【００１６】
中栓部材４は、図１及び図２に示すように、平面視で円環状の環状天壁部１１と、環状天壁部１１の外周縁から下方に向けて突出する円筒状の外筒部１２と、環状天壁部１１の内周縁から下方に向けて突出する円筒状の内筒部１３と、内筒部１３の下端に貼付されたシールフィルム１４と、を備える。
【００１７】
環状天壁部１１は、口部３の上端面上に載置されている。
外筒部１２は、口部３のうち雄ネジ部３Ａよりも上側の部分における外周面に嵌合されている。外筒部１２の外径は、口部３のうち上端部よりも下側の部分における外径と同等となっている。
内筒部１３の下端開口は、連通孔１３Ａとされている。また、内筒部１３は、口部３の内周面に嵌合されており、内筒部１３の下端は、外筒部１２の下端よりも下方に位置している。このようにして、中栓部材４は、口部３に嵌合されている。そのため、中栓部材４は、口部３の雄ネジ部３Ａに螺着される場合と比較して、口部３から容易には取り外されないように構成されている。
シールフィルム１４は、アルミ箔の層を有する積層フィルムであり、連通孔１３Ａを閉塞している。
【００１８】
切断部材５は、平面視で円状をなしており、連通孔１３Ａの上方に配設されている。切断部材５の周方向の一部は、ヒンジ部２１を介して内筒部１３の下端部における内周面に接続されており、切断部材５のうちヒンジ部２１に対して径方向反対側に位置する部分は、弱化部２２を介して内筒部１３の下端部における内周面に接続されている。切断部材５の中央部分５Ａは、切断部材５の外周部分に対して上方に突出しており、この中央部分５Ａには、下方に向けて陥没する円椀状の凹部５Ｂが形成されている。なお、中央部分５Ａの上面は、内筒部１３の上端よりも下方に位置している。
【００１９】
また、切断部材５のうち弱化部２２に近接する部分の下面には、下方に向けて突出するピン状の切刃２３が設けられている。なお、切刃２３の下端は、内筒部１３の下端よりも上方に位置している。切刃２３は、複数形成されてもよい。また、弱化部２２は、複数設けられてもよく、弱化部２２を設けなくてもよい。
【００２０】
次に、この付け替え容器１に装着される吐出器３０について説明する。
吐出器３０は、図３に示すように、ポンプ式の吐出器であり、吐出器３０を容器本体２に取り付ける円筒状の取付キャップ３１と、容器本体２内に収容された内容物を吐出するポンプ本体３２と、を備える。
【００２１】
取付キャップ３１は、円筒状の装着筒部４１と、装着筒部４１の上方に連設され、後述する押下ヘッド５２の上下方向の移動を案内する円筒状の案内筒部４２と、を有する。
装着筒部４１は、案内筒部４２よりも大径とされており、装着筒部４１の内周面には、容器本体２の口部に形成されている雄ネジ部３Ａに螺着される雌ネジ部４１Ａが形成されている。これにより、装着筒部４１は、容器本体２の口部３に着脱可能に螺着される。なお、装着筒部４１は、容器本体２の口部に着脱可能に装着できれば、螺着される構成に限定されない。
【００２２】
ポンプ本体３２は、取付キャップ３１に取り付けられたシリンダ５１と、下部がシリンダ５１内に挿入されると共にシリンダ５１に対して上下付勢状態で下方移動自在に配設されたステム（図示略）と、上記ステムの上下動に連係し、シリンダ５１内に上下摺動自在に嵌合されたピストン（図示略）と、上記ステムの上端部に装着されると共に容器本体２内の内容物を吐出させる吐出孔５２Ａが形成された有頂円筒状の押下ヘッド５２と、を備える。
シリンダ５１の下端部内には、上下方向に延在する管状の吸引パイプ５３が嵌合されている。吸引パイプ５３は、切断部材５をヒンジ部２１回りに下方へ押し込むことが可能である程度の剛性を少なくとも有している。また、シリンダ５１の上端部には、径方向外側に向けて突出する平面視で円環状のフランジ部５１Ａが全周にわたって形成されている。フランジ部５１Ａの下面には、平面視で円環状のパッキン５４が配設されている。
【００２３】
次に、以上のような構成の付け替え容器１の使用方法を説明する。
まず、吸引パイプ５３の下端を切断部材５の凹部５Ｂに上下方向で位置合わせし、吐出器３０を付け替え容器１に対して下方へ押し込む。吸引パイプ５３を凹部５Ｂに位置合わせすることで、吐出器３０の押し込み時に吸引パイプ５３が切断部材５に対して位置ズレしにくくなっている。吐出器３０を押し込むと、弱化部２２が破断され、切断部材５は、ヒンジ部２１回りに下方へ回動し、切刃２３は、シールフィルム１４を切断する。このとき、使用者は、シールフィルム１４を破断した際に生じる感触や音を感知する。その後、図３に示すように、切断部材５全体でシールフィルム１４を切断し、付け替え容器１を開封すると共に、吸引パイプ５３は、切断部材５によってシールフィルム１４に形成された開口を通って容器本体２内に進入する。そして、図４に示すように、装着筒部４１を容器本体２の口部３に螺着させる。
【００２４】
このようにして、付け替え容器１に吐出器３０を装着する。付け替え容器１の容器本体２が空になったら、吐出器３０を容器本体２の口部３から取り外し、上述と同様の手順で、内容物が充填されている別の付け替え容器１に吐出器３０を装着する。装着時において、切断部材５がシリンダ５１の外周面によって径方向外方へ押しのけられているので、切断部材５によって切断されたシールフィルム１４が連通孔１３Ａを閉塞することが抑制されている。また、切断部材５は、ヒンジ部２１を介して中栓部材４に接続されているため、シールフィルム１４の破断時に分離せず、切断部材５が連通孔１３Ａを閉塞する可能性が低減されている。
【００２５】
以上、本実施形態にかかる付け替え容器１によれば、シールフィルム１４に破断部分があるか視認することにより、付け替え容器１が開封されたか否かを容易に判別できると共に、使用者自らがシールフィルム１４を破断するという行為により、例えば破断時に生じる感触や音などを通して、収容されている内容物の新鮮さを使用者に認識させることが容易になる。また、シールフィルム１４を破断する動作と吐出器３０を付け替え容器１に装着する動作とを連続して行えるので、吐出器３０の付け替え作業が容易になる。
さらに、シールフィルム１４を中栓部材４の内筒部１３の下端に貼付されているので、シールフィルム１４を内筒部１３の上端に貼付する場合と比較して、シールフィルム１４が意図せず破断されることを抑制できる。そして、吐出器３０を装着したときに、環状天壁部１１の上面とパッキン５４との間のシール性を容易に確保できる。
また、切断部材５が連通孔１３Ａの上方に配設されているので、シールフィルム１４が意図せず破断されることをより確実に抑制できる。
その上、切断部材５と中栓部材４とを一体的に形成することにより、部品点数を削減できる。
【００２６】
次に、本発明による付け替え容器の第２実施形態を図面に基づいて説明する。なお、ここで説明する実施形態は、その基本的構成が上述した実施形態と同様であり、上述した実施形態に別の要素を付加したものである。したがって、以下の図面において上記図面と同一構成要素に同一符号を付し、この説明を省略する。
【００２７】
本実施形態にかかる付け替え容器１００は、図５及び図６に示すように、周方向に間隔をあけて配設された複数（本実施形態では５つ）の切断部材１０１を備える。
切断部材１０１は、平面視で三角形状をなしており、中栓部材４と一体的に形成されている。切断部材１０１は、容器軸Ｏに向けて径方向に延在している。切断部材１０１の基端部は、ヒンジ部１０２を介して内筒部１３の下端部における内周面に接続されている。切断部材１０１の先端部の下面には、切刃１０３が下方に向けて突設されている。なお、径方向で向かい合う２つの切断部材１０１間の距離は、吸引パイプ５３の直径よりも小さくなっている。また、切断部材１０１の先端同士を弱化部を介して接続してもよい。
【００２８】
以上のような構成の付け替え容器１００の使用方法も、上述した第１実施形態にかかる付け替え容器１の使用方法と同様である。
図７に示すように、吸引パイプ５３を切断部材１０１の先端部間の隙間に押し込むと、切断部材１０１は、ヒンジ部１０２回りに下方へ回動し、シールフィルム１４を切断する。その後、図８に示すように、吐出器３０の装着筒部４１を容器本体２の口部３に螺着させる。
【００２９】
以上、本実施形態にかかる付け替え容器１００によっても、上述した第１実施形態にかかる付け替え容器１と同様の効果を奏する。
【００３０】
次に、本発明による付け替え容器の第３実施形態を図面に基づいて説明する。なお、ここで説明する実施形態は、その基本的構成が上述した実施形態と同様であり、上述した実施形態に別の要素を付加したものである。したがって、以下の図面において上記図面と同一構成要素に同一符号を付し、この説明を省略する。
【００３１】
本実施形態にかかる付け替え容器１１０は、図９に示すように、切断部材を備えておらず、吐出器１１１が、切断部材１１２を備えている。
吐出器１１１の吸引パイプ５３の下端部には、有底円筒状の切断部材１１２が嵌合されている。切断部材１１２は、平面視で円状の下壁部１１３と、下壁部１１３の外周縁から上方に向けて延在する円筒状の周筒部１１４と、を備える。
【００３２】
下壁部１１３には、図９及び図１０に示すように、周方向に間隔をあけて複数の（本実施形態では３つ）の切刃１１５が下方に向けて突設されている。
周筒部１１４の下端部には、上下方向に延在する連通スリット１１４Ａが周方向に間隔をあけて複数（本実施形態では３つ）形成されている。連通スリット１１４Ａは、周方向で隣り合う２つの切刃１１５間に形成されている。なお、切刃１１５及び連通スリット１１４Ａは、少なくとも１つ形成されていればよい。
【００３３】
また、周筒部１１４の上下方向の中間部には、径方向外側に向けて突出する環状突出部１１４Ｂが全周にわたって形成されている。環状突出部１１４Ｂを設けることにより、破断したシールフィルム１４が連通スリット１１４Ａを閉塞するように切断部材１１２に貼り付くことが抑制されている。
さらに、周筒部１１４の内周面には、下端から上下方向の中間部に向けて延在するリブ部１１４Ｃが周方向に間隔をあけて複数（本実施形態では３つ）形成されている。リブ部１１４Ｃの上端は、環状突出部１１４Ｂの上面より上方に位置しており、リブ部１１４Ｃの上端には、吸引パイプ５３の下端が当接している。
【００３４】
このような構成の付け替え容器１１０の使用方法も、上述した第１及び第２実施形態にかかる付け替え容器１、１００と同様である。
図１１に示すように、切断部材１１２が取り付けられた吸引パイプ５３をシールフィルム１４に対して押し込み、シールフィルム１４を破断する。その後、図１２に示すように、吐出器１１１の装着筒部４１を容器本体２の口部３に螺着させる。
【００３５】
以上、本実施形態にかかる付け替え容器１１０によっても、上述した第１及び第２実施形態にかかる付け替え容器１、１００と同様の効果を奏する。
【００３６】
なお、本発明は上記実施形態に限定されるものではなく、本発明の趣旨を逸脱しない範囲において種々の変更を加えることができる。
例えば、第１及び第２実施形態において、切断部材は、中栓部材と一体的に形成されているが、個別に形成した後に中栓部材に取り付ける構成など、一体的に形成されている必要はない。また、切断部材は、ヒンジ部を介して中栓部材に接続されているが、シールフィルムの破断時に中栓部材から分離される構成であってもよい。
中栓部材は、口部の外周面に配設される外筒部を備えているが、外筒部を備えていない構成であってもよい。また、中栓部材は、口部に対して嵌合させることによって取り付けられているが、例えば接着など、嵌合以外の他の方法によって口部に取り付けられてもよい。
切断部材には、切刃が設けられているが、シールフィルムを破断することができれば、切刃が設けられていなくてもよい。また、切刃の形状も、ピン状に限らず、他の形状であってもよく、切刃の位置も、切断部材の下面に限られず、他の位置であってもよい。
吐出器は、容器本体を圧縮変形させて容器本体の内圧を高めることによって吐出孔から吐出させるように構成された吐出器など、ポンプ機構を備えるものに限定されない。
シールフィルムは、アルミ箔の層を有する積層フィルムに限定されない。また、シールフィルムは、中栓部材の下端に貼付されているが、連通孔を閉塞できればよく、上端など、中栓部材の他の貼付に貼付されてもよい。
吸引パイプは、例えば図３において吸引パイプが曲がらない程度の剛性を有しているが、吸引パイプ自体ではなく切断部材によってシールフィルムを破断していることから、切断部材によってシールフィルムを破断できる程度の剛性を有していれば、シールフィルムの破断時に曲がってもよい。このように、シールフィルムの破断時に曲がるような吸引パイプであっても、切断部材によってシールフィルムを容易に破断できる。
容器本体や中栓部材など、各構成部材の形状の説明において、「円筒状」と記載しているが、多角筒状や楕円筒状など、適宜他の形状であってもよい。
【産業上の利用可能性】
【００３７】
この発明によれば、開封されたかを容易に視認することが可能でありつつ、収容されている内容物の新鮮さを使用者に対して容易に認識させることができる付け替え容器に関して、産業上の利用可能性が認められる。
【符号の説明】
【００３８】
１，１００，１１０  付け替え容器、２  容器本体、３  口部、４  中栓部材、５，１０１，１１２  切断部材、１３Ａ  連通孔、１４  シールフィルム、３０，１１１  吐出器、５２Ａ  吐出孔、５３  吸引パイプ
【図１】
2019119453.tif 000003
【図２】
2019119453.tif 000004
【図３】
2019119453.tif 000005
【図４】
2019119453.tif 000006
【図５】
2019119453.tif 000007
【図６】
2019119453.tif 000008
【図７】
2019119453.tif 000009
【図８】
2019119453.tif 000010
【図９】
2019119453.tif 000011
【図１０】
2019119453.tif 000012
【図１１】
2019119453.tif 000013
【図１２】
2019119453.tif 000014